(57)【要約】【課題】  使用時の必要に応じて、ゴミのキャッチ率や排水効率を自在に変更し得るヘアキャッチャー付き排水栓を提供する。【解決手段】  上端に雄ネジ部３を形成した排水栓軸部４の外周に放射状捕集リブ５を形成したリング体６を具備するヘアキャッチャー付き排水栓本体７と、下端に複数の放射状捕集リブ８を形成したリング体９を具備し上端に幅広フリンジ部１１を備え中心に貫通穴１２を形成した中空軸体１３と、幅広フリンジ部１１と略同一外径であって中心に雌ネジ部１４を形成した穴部１５を備えた排水栓頭部本体１６と、を有するヘアキャッチャー付き排水栓であって、リング体６にリング体９が当接するように、排水栓軸部４が貫通穴１２に挿通し、排水栓頭部本体１６を螺着したので、放射状捕集リブ５、８間の重なりの程度を排水栓頭部本体１６の回転により制御し、ゴミのキャッチ率や排水効率を自在に変更し得る。【選択図】図３
2006063516.tif 000002
【特許請求の範囲】
【請求項１】
下端に錘部を備え上端に雄ネジ部を形成した排水栓軸部の外周中程に複数の放射状捕集リブを形成した第一のリング体を具備するヘアキャッチャー付き排水栓本体と、下端に複数の放射状捕集リブを形成した第二のリング体を具備し上端に排水栓頭部を構成する幅広フリンジ部を備え中心に前記排水栓軸部の外径と略同一内径の貫通穴を形成した略ボビン形状の中空軸体と、前記幅広フリンジ部と略同一外径であって中心に前記雄ネジ部と螺合可能な雌ネジ部を形成した穴部を備えた排水栓頭部本体と、を有するヘアキャッチャー付き排水栓であって、前記第一のリング体上の前記排水栓軸部が前記貫通穴に挿通し、且つ、前記第一のリング体に前記第二のリング体が当接するように、前記中空軸体を前記ヘアキャッチャー付き排水栓本体に載置する一方、前記雄ネジ部と前記雌ネジ部とを介して前記排水栓頭部本体を螺着せしめたことを特徴とするヘアキャッチャー付き排水栓。
【請求項２】
前記排水栓本体表面側につまみ部を形成したことを特徴とする請求項１記載のヘアキャッチャー付き排水栓。
【発明の詳細な説明】
【技術分野】
【０００１】
本発明は、洗面化粧台等に使用可能なヘアキャッチャー付き排水栓に関するものである。
【背景技術】
【０００２】
従来より、排水栓用ヘアキャッチャーとしては、例えば、図６に示すように複数の放射状捕集リブ２８を形成したリング体２９を有するものが知られている（特開平１０−３７２６３号公報〔特許文献１〕参照）。
【０００３】
さらに、かかる排水栓用ヘアキャッチャー３０では、清掃作業を容易にするため、排水口管２２から抜き外した後、排水栓スライド軸部３１からリング体２９を取り外して捕捉された毛髪、糸屑等のゴミを容易に除去することができるとともに、これらのゴミを除去した後に、排水栓スライド軸部３１に容易に取り付けることができることが開示されている。
【０００４】
一方、これら従来のヘアキャッチャーにおいては、清掃作業の容易化においては、上記のように、一定の改善が認められるものの、ゴミのキャッチ率や排水効率を使用時の必要に応じて自在に変更することはできなかった。
【特許文献１】特開平１０−３７２６３号公報
【発明の開示】
【発明が解決しようとする課題】
【０００５】
本発明は、上記背景技術に鑑みて発明されたものであり、その課題は、使用時の必要に応じて、ゴミのキャッチ率や排水効率を自在に変更し得るヘアキャッチャー付き排水栓を提供することである。
【課題を解決するための手段】
【０００６】
上記課題を解決するために、請求項１に係る発明のヘアキャッチャー付き排水栓にあっては、下端に錘部を備え上端に雄ネジ部を形成した排水栓軸部の外周中程に複数の放射状捕集リブを形成した第一のリング体を具備するヘアキャッチャー付き排水栓本体と、下端に複数の放射状捕集リブを形成した第二のリング体を具備し上端に排水栓頭部を構成する幅広フリンジ部を備え中心に前記排水栓軸部の外径と略同一内径の貫通穴を形成した略ボビン形状の中空軸体と、前記幅広フリンジ部と略同一外径であって中心に前記雄ネジ部と螺合可能な雌ネジ部を形成した穴部を備えた排水栓頭部本体と、を有するヘアキャッチャー付き排水栓であって、前記第一のリング体上の前記排水栓軸部が前記貫通穴に挿通し、且つ、前記第一のリング体に前記第二のリング体が当接するように、前記中空軸体を前記ヘアキャッチャー付き排水栓本体に載置する一方、前記雄ネジ部と前記雌ネジ部とを介して前記排水栓頭部本体を螺着せしめたことを特徴とするものである。
【０００７】
請求項２に係る発明のヘアキャッチャー付き排水栓にあっては、請求項１記載のヘアキャッチャー付き排水栓において、前記排水栓本体表面側につまみ部を形成したことを特徴とするものである。
【発明の効果】
【０００８】
本発明のヘアキャッチャー付き排水栓では、下端に錘部を備え上端に雄ネジ部を形成した排水栓軸部の外周中程に複数の放射状捕集リブを形成した第一のリング体を具備するヘアキャッチャー付き排水栓本体と、下端に複数の放射状捕集リブを形成した第二のリング体を具備し上端に排水栓頭部を構成する幅広フリンジ部を備え中心に前記排水栓軸部の外径と略同一内径の貫通穴を形成した略ボビン形状の中空軸体と、前記幅広フリンジ部と略同一外径であって中心に前記雄ネジ部と螺合可能な雌ネジ部を形成した穴部を備えた排水栓頭部本体と、を有するヘアキャッチャー付き排水栓であって、前記第一のリング体上の前記排水栓軸部が前記貫通穴に挿通し、且つ、前記第一のリング体に前記第二のリング体が当接するように、前記中空軸体を前記ヘアキャッチャー付き排水栓本体に載置する一方、前記雄ネジ部と前記雌ネジ部とを介して前記排水栓頭部本体を螺着せしめたものであるので、排水栓頭部本体を所定方向に回転することにより、中空軸体が、ヘアキャッチャー付き排水栓本体及びこれに螺着した排水栓頭部本体に対して回転可能となり、第一のリング体が有する放射状捕集リブと、第二のリング体が有する放射状捕集リブとの重なりの程度に変化を生じる結果、かかる放射状捕集リブ間の重なりの程度を前記排水栓頭部本体の回転により制御することにより、ゴミのキャッチ率や排水効率を自在に変更し得ることとなる。
【発明を実施するための最良の形態】
【０００９】
以下、本発明の実施形態を図面に基づき説明する。ここで、図１は、本発明の一実施形態であるヘアキャッチャー付き排水栓を装着した洗面ボールの概略を模式的に示す要部断面図である。また、図２は、本発明の一実施形態であるヘアキャッチャー付き排水栓の構成の概略を示す斜視図である。さらに、図３は、本発明の一実施形態であるヘアキャッチャー付き排水栓の構成の概略を示す分解斜視図である。
【００１０】
すなわち、本実施形態のヘアキャッチャー付き排水栓１は、例えば、図１に示すように、洗面化粧台における洗面ボール２１の排水口管２２に適用可能である。すなわち、本実施形態のヘアキャッチャー付き排水栓１は、図１に示すように、排水口管２２中に垂設され、排水口管２２の上端に、幅広フリンジ部１１と排水栓頭部本体１６を具備する排水栓頭部１０が載置されることとなる。
【００１１】
さらに具体的には、本実施形態のヘアキャッチャー付き排水栓１は、図２、図３に示すように、下端に錘部２を備え上端に雄ネジ部３を形成した排水栓軸部４の外周中程に複数の放射状捕集リブ５を形成した第一のリング体６を具備するヘアキャッチャー付き排水栓本体７と、下端に複数の放射状捕集リブ８を形成した第二のリング体９を具備し、上端に排水栓頭部１０を構成する幅広フリンジ部１１を備え、中心に、排水栓軸部４の外径と略同一内径の貫通穴１２を形成した略ボビン形状の中空軸体１３と、幅広フリンジ部１１と略同一外径であって中心に前記雄ネジ部３と螺合可能な雌ネジ部１４を形成した穴部１５を備えた排水栓頭部本体１６（図４参照）とを有するヘアキャッチャー付き排水栓である。
【００１２】
さらに、本実施形態のヘアキャッチャー付き排水栓１では、第一のリング体６上の排水栓軸部４が前記貫通穴１２に挿通し、且つ、前記第一のリング体６に前記第二のリング体９が当接するように、中空軸体１３を前記ヘアキャッチャー付き排水栓本体７に載置する一方、雄ネジ部３と雌ネジ部１４とを介して排水栓頭部本体１６を螺着せしめたものである。
【００１３】
この結果、排水栓頭部本体１６を所定方向（特に限定はないが、より好適には、雄ネジ部３と雌ネジ部１４が、噛み合う方向）に回転することにより、中空軸体１３が、ヘアキャッチャー付き排水栓本体７及びこれに螺着した排水栓頭部本体１６に対して回転可能となる。
【００１４】
かかる排水栓頭部本体１６の回転により、第一のリング体６が有する放射状捕集リブ５と、第二のリング体９が有する放射状捕集リブ８との重なりの程度に変化を生じる結果となる（図５参照）。なお、図５は、排水栓頭部本体１６の回転により、第一のリング体６が有する放射状捕集リブ５と、第二のリング体９が有する放射状捕集リブ８との重なりの程度に変化を示すもので、（ａ）は、全開時の断面図、（ｂ）は、放射状捕集リブが、オーバーラップした際の断面図である。
【００１５】
したがって、かかる放射状捕集リブ５、８間の重なりの程度を排水栓頭部本体１６の回転により制御することにより、ゴミのキャッチ率や排水効率を自在に変更し得ることとなる。
【００１６】
一方、本実施形態のヘアキャッチャー付き排水栓１では、排水栓頭部本体１６の表面側につまみ部１７を形成している。この結果、排水栓頭部本体１６の回転による放射状捕集リブ５、８間の重なりの程度の制御によるゴミのキャッチ率や排水効率の変更を一層、容易に行なうことができる。また、幅広フリンジ部１１、及び、排水栓頭部本体１６の側面に縦溝加工部１８、１９をそれぞれ形成することにより、排水栓頭部本体１６の回転の制御をさらに容易にすることができることとなる。
【００１７】
なお、本発明のヘアキャッチャー付き排水栓は、上記の実施形態にのみ限定されるものではなく、本発明の要旨を逸脱しない範囲内において種々変更を加え得ることは勿論である。さらに、本発明のヘアキャッチャー付き排水栓は、その形状、寸法等についても、特に制限はなく、例えば、放射状捕集リブ５、８の形状、寸法等についても、放射状捕集リブ５、８の重なりの程度の最大時、最小時の開放部２０の占有面積率をも含めて、上記課題解決に寄与する限りにおいて、何ら制約がないことはいうまでもない。
【００１８】
以上のように、本発明のヘアキャッチャー付き排水栓では、下端に錘部を備え上端に雄ネジ部を形成した排水栓軸部の外周中程に複数の放射状捕集リブを形成した第一のリング体を具備するヘアキャッチャー付き排水栓本体と、下端に複数の放射状捕集リブを形成した第二のリング体を具備し上端に排水栓頭部を構成する幅広フリンジ部を備え中心に前記排水栓軸部の外径と略同一内径の貫通穴を形成した略ボビン形状の中空軸体と、前記幅広フリンジ部と略同一外径であって中心に前記雄ネジ部と螺合可能な雌ネジ部を形成した穴部を備えた排水栓頭部本体と、を有するヘアキャッチャー付き排水栓であって、前記第一のリング体上の前記排水栓軸部が前記貫通穴に挿通し、且つ、前記第一のリング体に前記第二のリング体が当接するように、前記中空軸体を前記ヘアキャッチャー付き排水栓本体に載置する一方、前記雄ネジ部と前記雌ネジ部とを介して前記排水栓頭部本体を螺着せしめたものであるので、排水栓頭部本体を所定方向に回転することにより、中空軸体が、ヘアキャッチャー付き排水栓本体及びこれに螺着した排水栓頭部本体に対して回転可能となり、第一のリング体が有する放射状捕集リブと、第二のリング体が有する放射状捕集リブとの重なりの程度に変化を生じる結果、かかる放射状捕集リブ間の重なりの程度を前記排水栓頭部本体の回転により制御することにより、ゴミのキャッチ率や排水効率を自在に変更し得ることとなる。
【図面の簡単な説明】
【００１９】
【図１】本発明の一実施形態であるヘアキャッチャー付き排水栓を装着した洗面ボールの概略を模式的に示す要部断面図である。
【図２】本発明の一実施形態であるヘアキャッチャー付き排水栓の構成の概略を示す斜視図である。
【図３】本発明の一実施形態であるヘアキャッチャー付き排水栓の構成の概略を示す分解斜視図である。
【図４】本発明の一実施形態であるヘアキャッチャー付き排水栓の排水栓頭部本体の構成の概略を示すもので、（ａ）は、断面図、（ｂ）は、下面図である。
【図５】排水栓頭部本体の回転により、第一のリング体が有する放射状捕集リブと、第二のリング体が有する放射状捕集リブとの重なりの程度に変化を示すもので、（ａ）は、全開時の断面図、（ｂ）は、放射状捕集リブが、オーバーラップした際の断面図である。
【図６】従来例に係る排水栓用ヘアキャッチャー装着時の様子を示す斜視図である。
【符号の説明】
【００２０】
１    ヘアキャッチャー付き排水栓
２    錘部（ヘアキャッチャー付き排水栓本体７）
３    雄ネジ部（ヘアキャッチャー付き排水栓本体７）
４    排水栓軸部（ヘアキャッチャー付き排水栓本体７）
５    放射状捕集リブ（第一のリング体６）
６    第一のリング体（ヘアキャッチャー付き排水栓本体７）
７    ヘアキャッチャー付き排水栓本体（ヘアキャッチャー付き排水栓１）
８    放射状捕集リブ（第二のリング体９）
９    第二のリング体（中空軸体１３）
１０    排水栓頭部（ヘアキャッチャー付き排水栓１）
１１    幅広フリンジ部（中空軸体１３）
１２    貫通穴（中空軸体１３）
１３    中空軸体
１４    雌ネジ部（穴部１５）
１５    穴部（排水栓頭部本体１６）
１６    排水栓頭部本体（ヘアキャッチャー付き排水栓１）
１７    つまみ部（排水栓頭部本体１６）
１８    縦溝加工部（幅広フリンジ部１１）
１９    縦溝加工部（排水栓頭部本体１６）
２０    開放部（放射状捕集リブ５、放射状捕集リブ８）
２１    洗面ボール
２２    排水口管
２３    ナット
２４    Ｌ型テールピース
２５    三角パッキン
２６    オーバーフロー管
２７    スリップワッシャ
２８    放射状捕集リブ〔従来例〕（排水栓用ヘアキャッチャー３０）
２９    リング体〔従来例〕（排水栓用ヘアキャッチャー３０）
３０    排水栓用ヘアキャッチャー〔従来例〕
３１    排水栓スライド軸部〔従来例〕（排水栓用ヘアキャッチャー３０）
３２    筒状体〔従来例〕（排水栓用ヘアキャッチャー３０）
３３    ヒンジ部〔従来例〕（排水栓用ヘアキャッチャー３０）
３４    係合受け孔〔従来例〕（排水栓用ヘアキャッチャー３０）
３５    フック片〔従来例〕（排水栓用ヘアキャッチャー３０）
【図１】
2006063516.tif 000003
【図２】
2006063516.tif 000004
【図３】
2006063516.tif 000005
【図４】
2006063516.tif 000006
【図５】
2006063516.tif 000007
【図６】
2006063516.tif 000008